(57)【要約】【課題】可撓性の細長帯状片を用いて押え具等の別物を必要としない安価で新規な綴じ装置を提供する。【解決手段】係止頭部を有する細長帯状片を備え、見開き状ファイルの片面に該細長帯状片の係止頭部を係止する係止部を設け、見開き状ファイルの他面に該細長帯状片の先部を止めるストッパー部を設け、細長帯状片の係止頭部をファイル片面の係止部に係止し、細長帯状片の先部をファイル他面のストッパー部に係脱自在に止めるようにし、細長帯状片を見開き状ファイルの片面、他面間の内側に介在させてなるものである。【選択図】　　　図１
2004142281.tif 000002
【特許請求の範囲】
【請求項１】
係止頭部を有する細長帯状片を備え、見開き状ファイルの片面に該細長帯状片の係止頭部を係止する係止部を設け、見開き状ファイルの他面に該細長帯状片の先部を止めるストッパー部を設け、細長帯状片の係止頭部をファイル片面の係止部に係止し、細長帯状片の先部をファイル他面のストッパー部に係脱自在に止めるようにし、細長帯状片を見開き状ファイルの片面、他面間の内側に介在させてなるファイル用の綴じ装置。
【請求項２】
上記細長帯状片を２本備え、見開き状ファイルの片面の係止部及び他面のストッパー部を２個づつとしてある上記請求項１に記載のファイル用の綴じ装置。
【請求項３】
上記細長帯状片の係止頭部を細長帯状片の本体の幅より幅広の四方体とし、その後端に上向きの折曲部を介して後方に突出する舌片を有し、細長帯状片本体と係止頭部との境界部に薄肉のヒンジ部を設けてある上記請求項１又は２に記載のファイル用の綴じ装置。
【請求項４】
上記細長帯状片の先部に係止突起を設けてある上記請求項１〜３の何れかに記載のファイル用の綴じ装置。
【請求項５】
上記ファイルの片面の係止部が、上記細長帯状片本体を挿通するスリットと、細長帯状片の係止頭部の両側部を介入する逆ハ字状のスリットと、該係止頭部の舌片を挿通する透孔とを有する上記請求項１又は２に記載のファイル用の綴じ装置。
【請求項６】
上記ファイルの他面のストッパー部が該ファイルの他面を切り起した切り起し片に細長帯状片の先部を挿通する透孔を設けてある上記請求項１または２に記載のファイル用の綴じ装置。
【請求項７】
上記ストッパー部が一対の切り起し片からなる上記請求項５に記載のファイル用の綴じ装置。
【請求項８】
上記見開き状のファイルの片面及び他面を合成樹脂製シートにより構成し、細長帯状片を合成樹脂製板により構成したある上記請求項１〜７の何れかに記載のファイル用の綴じ装置。
【発明の詳細な説明】
【０００１】
【発明の属する技術分野】
本発明は、書類を整理して綴じるファイル用の綴じ装置に関し、具体的には見開き状ファイルの中に別のファイル、袋あるいは書類等を綴じ込むためのアーチ式の綴じ装置に関する。
【０００２】
【従来の技術】
見開き状ファイルの中に書類を綴じ込むファイルとして多穴の書類を綴じ込むものにバインダー装置が知られている（例えば、特許文献１参照。）。
また、２穴の書類を綴じ込むものとして通常のファイルの綴じ装置が知られている（。例えば、特許文献２参照。）。
【０００３】
【特許文献１】
特開平１０−３５１７０号公報
【特許文献２】
特開２００１−２９３９８７号公報
【０００４】
【発明が解決しようとする課題】
従来公知のバインダー装置は、多数の金属の止め金を開閉自在としてあり、この開閉自在とするための開閉機構が必要であり、コスト高となるという課題がある。
また、上記通常のファイルの綴じ装置は、一対の可撓性の細長帯状片を起立させ、書類に穿った２穴に該細長帯状片を挿通し、別に設けた押え具の穴に該細長帯状片を挿通し、これを押え具に設けたスライドする止め具によって折り曲げて止めるようにしたものである。従って、止め具付の押え具が必要であり、それだけコスト高になると共に押え具が細長帯状片とは別物であるから、紛失し易いという課題がある。
本発明は、可撓性の細長帯状片を用いて押え具等の別物を必要としない安価で新規な綴じ装置を提供するものである。
【０００５】
【課題を解決するための手段】
そのために、本発明ファイル用の綴じ装置は、係止頭部を有する細長帯状片を備え、見開き状ファイルの片面に該細長帯状片の係止頭部を係止する係止部を設け、見開き状ファイルの他面に該細長帯状片の先部を止めるストッパー部を設け、細長帯状片の係止頭部をファイル片面の係止部に係止し、細長帯状片の先部をファイル他面のストッパー部に係脱自在に止めるようにし、細長帯状片を見開き状ファイルの片面、他面間の内側に介在させてなるものである。即ち、細長帯状片の係止頭部を見開き状ファイルの片面に設けた係止部に係止し、細長帯状片の先部をファイル他面に設けたストッパー部に係脱自在に止めるようにしてあるから、細長帯状片を折り曲げて押え止める押え具等の別物を必要とせず、構造簡単な装置を低コストに提供できる。また、細長帯状片の係止頭部はフィルム片面の係止部に係脱自在にすることが望ましいが、係止固定してもよい。
【０００６】
また、本発明ファイル用の綴じ装置は、上記細長帯状片を２本備え、見開き状ファイルの片面の係止部及び他面のストッパー部を２個づつとしてある。即ち、既存の通常の２穴のファイル、袋、書類等をファイルするものに適応するものである。
さらに、本発明ファイル用の綴じ装置は、上記細長帯状片の係止頭部を細長帯状片の本体の幅より幅広の四方体とし、その後端に上向きの折曲部を介して後方に突出する舌片を有し、細長帯状片本体と係止頭部との境界部に薄肉のヒンジ部を設けてある。即ち、係止部を細長帯状片の本体の幅より幅広の四方体とし、その後端に上向きの折曲部を介して後方に突出する舌片を有することにより、ファイル片面の係止部との係合を係脱可能にするだけでなく、安定して固定することもできる。そして、細長帯状片本体と係止頭部との境界部に薄肉のヒンジ部を設けてあるから、このヒンジ部で細長帯状片が折曲し、ファイルの開閉が円滑にできるものである。
加えて、本発明ファイル用の綴じ装置は、上記細長帯状片の先部に係止突起を設けてある。即ち、係止突起がファイル他面のストッパー部に係止し、細長帯状片がストッパー部から離脱することを防止し、細長帯状片による書類の綴じ作用を安定させることができる。
【０００７】
さらに、本発明ファイル用の綴じ装置は、上記ファイルの片面の係止部が、上記細長帯状片本体を挿通するスリットと、細長帯状片の係止頭部の両側部を介入する逆ハ字状のスリットと、該係止頭部の舌片を挿通する透孔とを有するものである。即ち、ファイル片面の係止部がスリットと透明孔とによって形成されるから、係止部のための別物の必要なく、構造簡単な装置を安価に提供できる。
また、本発明ファイル用の綴じ装置は、上記ファイルの他面のストッパー部が該ファイルの他面を切り起した切り起し片に細長帯状片の先部を挿通する透孔を設けてあるものである。即ち、上記係止部同様、ストッパー部を構成するための別物を必要とせず、構造簡単な装置を安価に提供できる。
加えて、上記ストッパー部が一対の切り起し片からなるものであるから、細長帯状片の止めを安定して行うことができる。
さらに、本発明ファイル用の綴じ装置は、上記見開き状のファイルの片面及び他面を合成樹脂製シートにより構成し、細長帯状片を合成樹脂製板により構成してある。即ち、材料としても安価に提供できる。
【０００８】
【発明の実施の形態】
以下図面に示した好ましい実施例に基づき、本発明の詳細を説明する。図中符号１が見開き状のファイルで、その見開き状態で右側を片面２とし、左側を他面３とする。図示した実施例では、片面２を合成樹脂シートからなる複数のホルダーを一体化して構成してあり、他面３も合成樹脂シートのホルダーによって構成してある。即ち、この片面２及び他面３にも種々の書類を収納することができるようにしてある。
【０００９】
上記見開き状のファイル１の片面２に後述する細長帯状片の基部端に設けた係止頭部を係止する係止部４，４を設けてあり、他面３に細長帯状片の先部を止めるストッパー部５，５を設けてある。これら係止部４，４及びストッパー部５，５は２穴用のファイルに適応するようそれぞれ一対によって構成してある。
図中符号６，６が細長帯状片で、細長い合成樹脂板によって構成してあり、図示する実施例では２本からなり、２穴のファイルに適応するようにしてある。それぞれの細長帯状片６の本体７の基部端に係止頭部８を設けてあり、先細となる先部９を設けてある。そして上記係止頭部８をファイルの片面２の係止部４に係脱自在に係止するようにし、先部９をファイル１の他面３のストッパー部５に係脱自在に止めるようにしてあり、これにより細長帯状片６，６を見開き状のファイル１の片面２、他面３間の内側に介在させるようにしてある。
【００１０】
細長帯状片６の係止頭部８は、図３に示すように細長帯状片７の幅より幅広の四方体としてあり、その後端に上向きの折曲片１０を介して後方に突出する半円状の舌片１１を有し、さらに細長帯状片６の本体７と係止頭部８との境界部にその裏側を切欠して薄肉としたヒンジ部１２を設けてある。そして細長帯状片６の先細とした先部９の表側に上記見開き状ファイル１の他面３に設けたストッパー部５に係脱自在の係止突起１２を設けてある。
【００１１】
上記ファイル１の片面２の係止部４は、図３に示すように細長帯状片６の本体７を挿通するコ字形状に形成したスリット１３と、細長帯状片６の四方体からなる係止頭部８の両側部を介入する逆ハ字状のスリット１４，１４と、係止頭部８の半円状の舌片１１を挿通する半円状の透孔１５とから構成されておる。
【００１２】
一方、ファイルの他面３に設けたストッパー部５は、図９及び図１０に示すように他面３を台形状に切り起した一対の切り起し片１６からなり、この切り起し片１６，１６に形成した透孔１７，１７を有し、この透孔１７，１７に図９に示すように細長帯状片６の先部９を挿通するようにしてある。
【００１３】
上記の通りからなる本発明綴じ装置をファイル１に組み込むには、先ず細長帯状片６の先部９をファイル１の片面２の裏側から、その係止部４のコ字状のスリット１３を挿通する。そして細長帯状片６の係止頭部８をヒンジ部１２から折り曲げて図８に示すように立てて係止頭部８の舌片１１を係止部４の透孔１５を通過させてファイル１の片面２の表面に突出させ、その後細長帯状片６の本体７を引き出せば、図２及び図６に示すように係止頭部８が係止部４に係止される。この状態で係止頭部８の折曲部１１がファイルの片面２に係止され、抜け出ることがない。同時に係止頭部８の両側部を係止部４の逆ハ字状のスリット１４から片面２の表側に突出係止すれば、係止頭部８の係止部４への係止がより確実なものとなる。
【００１４】
上記のようにしてファイル１の片面２の係止部４に係止頭部８を係止した細長帯状片６の本体７の先部９を図１及び図９に示すようにストッパー部５の透孔１７に挿通すればよい。
従って見開き状のファイル１に書類１８、別のファイル、ホルダー等を綴じる際には、細長帯状片６，６をストッパー部５，５から離脱してその先細の先部を書類１８の２穴１９に挿通し、その先部９をストッパー部５に係止すればよい。
【００１５】
【発明の効果】
本発明ファイル用の綴じ装置は、係止頭部を有する細長帯状片を備え、見開き状ファイルの片面に該細長帯状片の係止頭部を係止する係止部を設け、見開き状ファイルの他面に該細長帯状片の先部を止めるストッパー部を設け、細長帯状片の係止頭部をファイル片面の係止部に係止し、細長帯状片の先部をファイル他面のストッパー部に係脱自在に止めるようにし、細長帯状片を見開き状ファイルの片面、他面間の内側に介在させてなるものであるから、細長帯状片を折り曲げて押え止める押え具等の別物を必要とせず、構造簡単な装置を低コストに提供できる効果がある。
【００１６】
また、本発明ファイル用の綴じ装置は、上記細長帯状片を２本備え、見開き状ファイルの片面の係止部及び他面のストッパー部を２個づつとしてあるから、既存の通常の２穴のファイル、袋、書類等をファイルするものに適応できる効果がある。
さらに、本発明ファイル用の綴じ装置は、上記細長帯状片の係止頭部を細長帯状片の本体の幅より幅広の四方体とし、その後端に上向きの折曲部を介して後方に突出する舌片を有し、細長帯状片本体と係止頭部との境界部に薄肉のヒンジ部を設けてあるから、ファイル片面の係止部との係合を係脱可能にするだけでなく、安定して固定することができ、ヒンジ部で細長帯状片が折曲し、ファイルの開閉が円滑にできる効果がある。
加えて、本発明ファイル用の綴じ装置は、上記細長帯状片の先部に係止突起を設けてあるから、係止突起がファイル他面のストッパー部に係止し、細長帯状片がストッパー部から離脱することを防止し、細長帯状片による書類の綴じ作用を安定させることができる。
【００１７】
さらに、本発明ファイル用の綴じ装置は、上記ファイルの片面の係止部が、上記細長帯状片本体を挿通するスリットと、細長帯状片の係止頭部の両側部を介入する逆ハ字状のスリットと、該係止頭部の舌片を挿通する透孔とを有するものであるから、係止部のための別物の必要なく、構造簡単な装置を安価に提供できる効果がある。
また、本発明ファイル用の綴じ装置は、上記ファイルの他面のストッパー部が該ファイルの他面を切り起した切り起し片に細長帯状片の先部を挿通する透孔を設けてあるものであるから、上記係止部同様、ストッパー部を構成するための別物を必要とせず、構造簡単な装置を安価に提供できる効果がある。
加えて、上記ストッパー部が一対の切り起し片からなるものであるから、細長帯状片の止めを安定して行うことができる。
さらに、本発明ファイル用の綴じ装置は、上記見開き状のファイルの片面及び他面を合成樹脂製シートにより構成し、細長帯状片を合成樹脂製板により構成してあるから、材料としても安価に提供できる。
【図面の簡単な説明】
【図１】本発明綴じ装置を備えるファイルの開放状態の斜面図。
【図２】本発明綴じ装置を構成する細長帯状片の係止頭部のファイルとの係合状態の拡大斜面図。
【図３】同じく上記細長帯状片の係止頭部とファイルとの分離状態の拡大斜面図。
【図４】上記細長帯状片の係止頭部とファイルとの係合状態の拡大平面図。
【図５】上記細長帯状片の係止頭部の拡大断面図。
【図６】図４上のＡ−Ａ線断面図。
【図７】図４上のＢ−Ｂ線断面図。
【図８】上記細長帯状片の係止頭部とファイルとの係合時の説明図。
【図９】本発明綴じ装置を構成するストッパー部の拡大斜面図。
【図１０】上記ストッパー部の切り起し状態の拡大斜面図。
【符号の説明】
１　ファイル
２　片面
３　他面
４　係止部
５　ストッパー部
６　細長帯状片
７　本体
８　係止頭部
９　先部
１０　折曲部
１１　舌片
１２　係止突起
１３　スリット
１４　逆ハ字状のスリット
１５　透孔
１６　切り起し片
１７　透孔
１８　書類
１９　２穴
【図１】
2004142281.tif 000003
【図２】
2004142281.tif 000004
【図３】
2004142281.tif 000005
【図４】
2004142281.tif 000006
【図５】
2004142281.tif 000007
【図６】
2004142281.tif 000008
【図７】
2004142281.tif 000009
【図８】
2004142281.tif 000010
【図９】
2004142281.tif 000011
【図１０】
2004142281.tif 000012